(57)【要約】【課題】代金とともに伝票を収納出来る、伝票置き兼代金入れを提供する。【解決手段】上面が開口し手で握ることが出来るケース本体と、ケース本体の側面に上端から切り込まれたスリットよりなり、前記スリットは伝票等の紙片を差し込むことが可能なものであり、ケース本体はお札や硬貨を収納出来るものであることを特徴とする。【選択図】            図１
2004326722.tif 000002
【特許請求の範囲】
【請求項１】
上面が開口し手で握ることが出来るケース本体と、ケース本体の側面に上端から切り込まれたスリットよりなり、前記スリットは伝票等の紙片を差し込むことが可能なものであり、ケース本体はお札や硬貨を収納出来るものであることを特徴とする、伝票置き兼代金入れ。
【請求項２】
底板と少なくとも一部に重なり部を有するとともに重なり部間を通して任意の伝票を狭持出来る側板とより構成され、底板と側板で形成される収納部にはお札や硬貨を収納出来、全体を手で握ることが出来るようになっている、伝票置き兼代金入れ。
【請求項３】
側板上部にストッパー兼挿入ガイドとなるように外側へ広がった縁部を有する請求項１又は詰求項２記載の伝票置き兼代金入れ。
【請求項４】
任意の伝票及び硬貨を収納する箱体と、箱体上面に投入口を形成するとともに、少なくとも一側板との連接部が、任意の伝票あるいは紙幣を狭持するように離れて構成されたカバー部とよりなる、伝票置き兼代金入れ。
【発明の詳細な説明】
【０００１】
【発明の属する技術分野】
レストランや喫茶店で使用する伝票と代金を収納する、伝票置き兼代金入れに関するものである。
【０００２】
【従来の技術】
従来、紙ばさみに伝票を挟む形式と、筒状等の上面の口に伝票をくるくる巻いて差し込む形式のものがある。
【０００３】
【発明が解決しようとする課題】
ウエイトレス側からすれば、持っている計算機を一度卓上に置くか脇に抱えるかして、伝票を紙ばさみに両手を使って差し込む、あるいは両手を使って伝票をくるくる巻いてから穴に差し込む等、片手で伝票を固定することが出来なかった。
また客側からすれば、代金を収納するには遣りにくく、食事を終えて、片手には車の鍵をぶら下げカバンやコート等の荷物を抱え、この上に伝票と小銭を持ってレジまで行くしかなかった。混雑している時はこの状態で待たなければならず、幹事となれば自分の荷物を誰かに預かってもらって、何人分かを支払わざるをえなかった。レジに行ってから代金の用意をする場合でも、荷物を脇に抱えたりしながら財布をポケットから取り出し小銭をごそごそ探すのは面倒で、ついついお札の方で支払うことになりがちであり、そうなればお釣りの小銭を受け取って、これを無造作にポケットに投げ込んでしまいがちで、ポケットが汚れ破れ邪魔な小銭は増えていた。
【０００４】
【課題を解決するための手段】
上面が開口し手で握ることが出来るケース本体と、ケース本体の側面に上端から切り込まれたスリットよりなり、前記スリットは伝票等の紙片を差し込むことが可能なものであり、ケース本体はお札や硬貨を収納出来るものであることを特徴とする。
【０００５】
【発明の実施の形態】
以下、本発明の実施の形態を説明する。型の種類を説明しておくと、大きくはスリットを立体方向に有する型と狭持部を平面方向に有する型がある。
先ず前記スリットの立体方向の型を、第１の筒タイプでスリット１本を有するものと、第２の容器タイプでスリットを１本又は２本有するものと、第３の底を有さない巻き状体（７）タイプと、第４の底を有する巻き状体タイプで誘導部（８）を１個所又は２個所に有するものに分類する。
図１〜図１５を用いてスリットの立体方向の型の場合について説明する。
図１〜図３を用いて、第１の上下面のない筒タイプの実施の形態を説明する。先ず手の中に入る範囲の太さの筒（１）を用意し、縦向きにスリット（２）を設ける。スリットの幅は伝票（３）を無理なく差し込め、揺れても硬貨（５）がその隙間から出ない範囲で、スリット上部は入れ易くするために両角を削っておく方がよい。これは以下に通じる。ここでは筒の底面の空間形状を円とした。
使い方について述べる。ウエイトレスは、伝票をテーブルに置いた当発明のスリットに上面から差し込む。この時、伝票はそのままでも軽く畳んでも構わない。これは以下の全ての型に通じる。客は当発明を掌に載せ伝票と周囲側面との間に硬貨を入れ、伝票とともに全体を下から包むように掴んで上向きのままでレジまで運ぶ。次に上部を下に向けるか、握った掌を開くかして硬貨を外に出す。図４〜図６を用いて第２の容器タイプでスリット１本の場合の実施の形態を説明する。手で持てる範囲の太さの容器（４）を用意し、底部（６）の上までスリットを設ける。ここでは底面形状を円とした。
使い方について述べる。ウエイトレスは伝票を、テーブルに置いた当発明のスリットに上面から差し込む。客は伝票と周囲側面の間に硬貨を入れ、伝票とともに全体を握るか掴むかして上向きのままでレジまで運ぶ。掌を上から被せ持つならば下向きでも構わない。そのままレジのテーブル上に置くか、上部を下に向け硬貨を外に出す。
図７〜図１１を用いて第２の容器タイプでスリット２本の場合の実施の形態を説明する。手で持てる範囲の太さの容器を用意し、スリットを２本設ける。２本のスリットの位置関係は対象でも片側に偏って設けてもかまわない。容器の底面形状をここでは楕円とした。
使い方について述べる。ウエイトレスが伝票にテーブルに置いた当発明のスリットに上面から差し込む。客は伝票と周囲側面の間に硬貨を入れ、伝票とともに全体を握るか掴むかして上向きのままでレジまで運ぶ。掌を上から被せ持つならば下に向けても構わない。そのままレジのテーブル上に置くか、レジで上部を下に向け硬貨を外に出す。
【０００６】
図１２を用いて第３の底を有さない巻き状体タイプの実施の形態を説明する。手の中に入る範囲の太さの巻き状体（７）を用意する。巻き状で両端部が二重に重なった形状の誘導部（８）は一個所で、伝票（３）やお札を狭持することが可能な幅とし、該隙間は、伝票の紙を無理なく差し込め、揺れても硬貨（５）がその隙間から出ない範囲である。これは以下に通じる。ここでは底面の空間形状を円とした。
使い方について述べる。ウエイトレスが伝票を、テーブルに置いた当発明の誘導部に上面か斜め横から差し込む。客は当発明を掌に載せ伝票と周囲側面との間に硬貨を入れ、伝票とともに全体を下から包むように掴んでレジまで運ぶ。次に上部を下に向けるか、握った掌を開くかして硬貨を外に出す。
図１３を用いて第４の底を有する巻き状体タイプの実施の形態を説明する。手で持てる範囲の太さの巻き状体を用意し底部（６）を設ける。前記と同様の個所に誘導部が生じる。ここでは底面形状を円とした。
使い方について述べる。ウエイトレスは伝票をテーブルに置いた当発明の誘導部に上面か斜め横から差し込む。客は伝票と周囲側面の間に硬貨を入れ、伝票とともに全体を握るか掴むかしてレジまで運ぶ。掌を上から被せ持つならば下に向けても構わない。そのままでレジのテーブル上に置くか、上部より硬貨を外に出す。
図１４を用いて第４の底を有する巻き状体タイプで、前記同様の誘導部を２個所に有する場合の実施の形態を説明する。手で持てる範囲の太さの巻き状体を用意する。互いの誘導部の位置関係は対象でも片側に偏って設けてもかまわない。２ヶの誘導部の開口方向は異なる向きである。
使い方について述べる。ウエイトレスは伝票をテーブルに置いた当発明の誘導部に上面から差し込む。客は伝票と周囲側面の間に硬貨を入れ、伝票ととも全体を握るか掴むかしてレジまで運ぶ。掌を上から被せ持つならば下に向けても構わない。そのままでレジのテーブル上に置くか、上部より硬貨を外に出す。伝票は誘導部の二個所に同時に差し込むか、一個所のみ使用するかを選択すればよい。一個所の場合の使い方は前記同様である。
【０００７】
図１５は滑り止めや硬貨を入れやすくするための目的とデザイン性を高めるために、上部縁を外側にめくり、衿状、アーチ状等の突きだし部（９）を設けたものである。この形状について説明を付加すると、必ずしも突きだしが一周するとは限らず、スリット（２）を有する側を避けて前記形状の一部を設ける場合も考えられる。これらはこれまで説明した全ての型に共通して使用出来る。使い方は突きだし部の下側を握って持つこと以外は前記同様である。
尚、前述のどの場合も従来の伝票（３）を巻いて差し込むという方法はそのまま出来る。外郭形状は円筒形にこだわらず、多角形でも持ちやすい形状であれば良い。お札の入れ方としては、硬貨（５）と一緒に中に巻いて入れても伝票と同じように差し込んでも、本体をくるんでも良い。
【０００８】
次に図１６〜図１９を用いて狭持部（１３）を平面方向に有する型の説明に移る。
図１６〜図１８はケース上面の開口部を、約半分くらい残してカバー部（１１）で覆い、ケース側面部（１２）に交叉する方向のカバー部端部の片側に狭持部を設けた。狭持部は必ずしも角まで設けるとは限らない。
使い方は狭持部に伝票（３）をそのままであるいは半分に折り曲げる等してその片側を差し込んで固定し、代金の硬貨（５）をその上に載せ、お札は伝票と同様の扱いをする。レジに向かう場合はケース側面部に指を引っかけたり、底部とその裏面を親指とその他の指で挟んだりする。この時、硬貨は連接部（１０）近くに集まって落ちない。レジの卓上で客卓に置かれていた状態に戻す。レジ係は本体を揺すって、硬貨を見える所まで戻して数え、ケース側面部の左右どちらかの角へ集めながら、手か貨幣収納器へ落とす。
図１９について述べると、ケース上面の開口部を、半分くらい残してカバー部で覆い、ケース側面部に交叉する方向のカバー部端部の両側に狭持部を設けた。狭持部は角まである方がよい。
使い方は両狭持部に伝票を差し込む。代金の硬貨は開口部の底面に載せ、お札は伝票と同様の扱いをする。運搬時、ケース側面部を持ち上げると、伝票の裏面側に空間があるので、ここに硬貨が入り落ちない。以降は前記と同様に扱う。
【０００９】
【発明の効果】
イ  ウエイトレスは、伝票を片手で固定することが出来る。
ロ  スリットが伝票を狭持するので、片手で固定出来る。
ハ  客は、小銭の始末が遣りやすくなった。
ニ  客は、荷物があっても楽に運搬出来、代金の支払いが負担にならなくなった。
ホ  従来の使い方もそのまま出来る。
【０００１０】
【図面の簡単な説明】
【図１】筒（１）タイプの斜視図である。
【図２】筒タイプの使用図である。
【図３】筒タイプの使用図である。
【図４】容器（４）タイプでスリット（２）１本の場合の使用図である。
【図５】容器タイプでスリット１本の場合の使用図である。
【図６】容器タイプでスリット１本の場合の使用図である。
【図７】容器タイプでスリット２本の場合の斜視図である。
【図８】容器タイプでスリット２本の場合の使用図である。
【図９】容器タイプでスリット２本の場合の使用図である。
【図１０】容器タイプでスリット２本の場合の使用図である。
【図１１】容器タイプでスリット２本の場合の使用図である。
【図１２】底を有さない巻き状体（７）タイプで、誘導部（８）が一個所の場合の使用図である。
【図１３】底を有する巻き状体タイプで、誘導部が一個所の場合の使用図である。
【図１４】底を有する巻き状体タイプで、誘導部が二個所の場合の使用図である。
【図１５】突きだし部（９）を設けた斜視図で、ａは巻き状体タイプの上部一部に設けたもの、ｂは容器タイプの上部全体に設けたものである。
【図１６】カバー部（１１）の端部に１本の狭持部（１３）を有する場合の斜視図である。
【図１７】前記の型に伝票（３）と硬貨（５）を収納した斜視図である。
【図１８】前記の発明を運搬する時の斜視図である。
【図１９】カバー部の端部に２本の狭持部を有する場合の斜視図である。
【符号の説明】
１  筒                  ２  スリット            ３  伝票
４  容器                ５  硬貨                ６  底部
７  巻き状体            ８  誘導部              ９  突きだし部
１０  連接部            １１  カバー部          １２  ケース側面部
１３  狭持部
【図１】
2004326722.tif 000003
【図２】
2004326722.tif 000004
【図３】
2004326722.tif 000005
【図４】
2004326722.tif 000006
【図５】
2004326722.tif 000007
【図６】
2004326722.tif 000008
【図７】
2004326722.tif 000009
【図８】
2004326722.tif 000010
【図９】
2004326722.tif 000011
【図１０】
2004326722.tif 000012
【図１１】
2004326722.tif 000013
【図１２】
2004326722.tif 000014
【図１３】
2004326722.tif 000015
【図１４】
2004326722.tif 000016
【図１５】
2004326722.tif 000017
【図１６】
2004326722.tif 000018
【図１７】
2004326722.tif 000019
【図１８】
2004326722.tif 000020
【図１９】
2004326722.tif 000021